(57)【要約】【課題】ガラスパネルの中央部と下縁部との温度差を小さくしてガラスパネルの熱割れを抑制できる樹脂製防火建具を提供すること。【解決手段】開き窓１は、樹脂製の窓枠２と、窓枠２に配置された障子３とを備え、障子３は、樹脂製の上框３１、下框３２および左右の縦框とガラスパネル３４とを框組みして構成され、下框３２は、框本体部４０と、框本体部４０の室外側部分に形成されたパネル受け部６０と、框本体部４０の室内側部分に形成された押縁係合部５０とを有し、パネル受け部６０には、框ホロー６５が形成され、框ホロー６５には、重錘部材７０が配置され、重錘部材７０の重心は、パネル受け部６０が形成された框本体部４０の室外側部分よりもガラスパネル３４側から下框３２の見込み方向に離れて位置している。【選択図】図２
2018087457.tif 000002
【特許請求の範囲】
【請求項１】
樹脂製の枠体と、前記樹脂製の枠体内に配置された障子とを備え、
前記障子は、樹脂製の上框、下框および左右の縦框とガラスパネルとを框組みして構成され、
少なくとも前記下框は、框本体部と、前記框本体部の室外側部分に形成されたパネル受け部と、前記框本体部の室内側部分に形成された押縁係合部とを有し、
前記パネル受け部には、中空部が形成され、
前記中空部には、前記パネル受け部の重心を前記框本体部の室外側部分から室外側に離間させる重錘部材が配置されている
ことを特徴とする樹脂製防火建具。
【請求項２】
樹脂製の枠体と、前記樹脂製の枠体内に配置された障子とを備え、
前記障子は、樹脂製の上框、下框および左右の縦框とガラスパネルとを框組みして構成され、
少なくとも前記下框は、框本体部と、前記框本体部の室内側部分に形成されたパネル受け部と、前記框本体部の室外側部分に形成された押縁係合部とを有し、
前記パネル受け部には、中空部が形成され、
前記中空部には、前記パネル受け部の重心を前記框本体部の室内側部分から室内側に離間させる重錘部材が配置されている
ことを特徴とする樹脂製防火建具。
【請求項３】
請求項１または請求項２に記載の樹脂製防火建具において、
前記重錘部材の重心は、前記下框の見込み方向において前記中空部の見込み中心よりも前記ガラスパネル側から離れて位置している
ことを特徴とする樹脂製防火建具。
【請求項４】
請求項１から請求項３のいずれか一項に記載の樹脂製防火建具において、
前記重錘部材の重心は、前記中空部の上下方向における見付け中心よりも上側に位置している
ことを特徴とする樹脂製防火建具。
【請求項５】
請求項１から請求項４のいずれか一項に記載の樹脂製防火建具において、
前記パネル受け部は、前記框本体部に連続しているパネル受け片部と、前記パネル受け片部に連続している上見込み片部および下見込み片部と、前記上見込み片部および前記下見込み片部に連続している見付け片部とを有し、
前記パネル受け片部、前記上見込み片部、前記下見込み片部および前記見付け片部によって前記中空部が形成され、
前記重錘部材は、金属製であり、前記パネル受け片部よりもガラスパネルから離れて位置している前記見付け片部に沿って配置された縦片部と、前記下見込み片部に沿って配置された下片部とを有している
ことを特徴とする樹脂製防火建具。
【請求項６】
請求項５に記載の樹脂製防火建具において、
前記重錘部材の重心は、当該重錘部材の見込み中心よりも前記縦片部側に位置している
ことを特徴とする樹脂製防火建具。
【請求項７】
請求項５または請求項６に記載の樹脂製防火建具において、
前記パネル受け片部のうち前記框本体部と連続する部分よりも上側部分には、前記ガラスパネル側に連通する連通孔が形成されている
ことを特徴とする樹脂製防火建具。
【請求項８】
請求項５から請求項７のいずれか一項に記載の樹脂製防火建具において、
前記下見込み片部および前記上見込み片部のうち少なくとも一方には、分断用切欠部が形成されている
ことを特徴とする樹脂製防火建具。
【発明の詳細な説明】
【技術分野】
【０００１】
本発明は、樹脂製框体およびガラスパネルを框組みして構成される障子が樹脂製の枠体内に配置された防火仕様の窓などの樹脂製防火建具に関する。
【背景技術】
【０００２】
従来、合成樹脂製の枠体と、合成樹脂製の框体およびガラスパネルを框組みして構成された障子とを備えた建具ユニットが知られている（特許文献１参照）。この建具ユニットでは、枠体および框体を合成樹脂製とし、ガラスパネルを複層ガラスとすることで、室内外間の断熱性を向上している。
【０００３】
特許文献１の例えば図１３に示されるように、框体は、框本体部と、框本体部の室内側部分に形成された室内側受け部と、框本体部の室外側部分に形成された押縁係合部とを有しており、室内側受け部によって複層ガラスの室内面を受けるとともに、押縁係合部に係合した押縁によって複層ガラスの室外面を受ける構成とされている。框本体部および室内側受け部には、室内外間の断熱性を向上させるためのホローが形成されている。
【先行技術文献】
【特許文献】
【０００４】
【特許文献１】特開２０１６−６１０６９号公報
【発明の概要】
【発明が解決しようとする課題】
【０００５】
ところで、特許文献１に記載の建具ユニットでは、室内側受け部にホローが形成されているので、室内側における火災時に室内側受け部が火炎に晒されても、当該室内側受け部が受けるガラスパネルの下縁部の温度が上昇しにくい。また、火災時には火炎が上方に広がりやすく、ガラスパネルの中央部は下縁部よりも温度が高くなる。このため、火炎に晒されるガラスパネルの中央部と前述した下縁部との温度差が大きくなって複層ガラスが熱割れするおそれがある。
【０００６】
本発明の目的は、ガラスパネルの中央部と下縁部との温度差を小さくしてガラスパネルの熱割れを抑制できる樹脂製防火建具を提供することにある。
【課題を解決するための手段】
【０００７】
本発明の樹脂製防火建具は、樹脂製の枠体と、前記樹脂製の枠体内に配置された障子とを備え、前記障子は、樹脂製の上框、下框および左右の縦框とガラスパネルとを框組みして構成され、少なくとも前記下框は、框本体部と、前記框本体部の室外側部分に形成されたパネル受け部と、前記框本体部の室内側部分に形成された押縁係合部とを有し、前記パネル受け部には、中空部が形成され、前記中空部には、前記パネル受け部の重心を前記框本体部の室外側部分から室外側に離間させる重錘部材が配置されていることを特徴とする。
【０００８】
本発明の樹脂製防火建具によれば、中空部に配置された重錘部材によってパネル受け部の重心が框本体部の室外側部分から室外側に離間されているので、パネル受け部は、室外側における火災時に火炎に晒されて軟化し、重錘部材の重みを受けつつ框本体部側から分断され、分断部分および重錘部材が室外側に落ちることとなる。これにより、下框のパネル受け部に形成された中空部がなくなるので、ガラスパネルの下縁部の温度を上昇でき、ガラスパネルの中央部と下縁部との温度差を小さくしてガラスパネルの熱割れを抑制できる。
【０００９】
本発明の樹脂製防火建具は、樹脂製の枠体と、前記樹脂製の枠体内に配置された障子とを備え、前記障子は、樹脂製の上框、下框および左右の縦框とガラスパネルとを框組みして構成され、少なくとも前記下框は、框本体部と、前記框本体部の室内側部分に形成されたパネル受け部と、前記框本体部の室外側部分に形成された押縁係合部とを有し、前記パネル受け部には、中空部が形成され、前記中空部には、前記パネル受け部の重心を前記框本体部の室内側部分から室内側に離間させる重錘部材が配置されていることを特徴とする。
【００１０】
本発明の樹脂製防火建具によれば、中空部に配置された重錘部材によってパネル受け部の重心が框本体部の室内側部分から室内側に離間されているので、パネル受け部は、室内側における火災時に火炎に晒されて軟化し、重錘部材の重みを受けつつ框本体部側から分断され、分断部分および重錘部材が室内側に落ちることとなる。これにより、下框のパネル受け部に形成された中空部がなくなるので、ガラスパネルの下縁部の温度を上昇でき、ガラスパネルの中央部と下縁部との温度差を小さくしてガラスパネルの熱割れを抑制できる。
【００１１】
本発明の樹脂製防火建具では、前記重錘部材の重心は、前記下框の見込み方向において前記中空部の見込み中心よりも前記ガラスパネル側から離れて位置していることが好ましい。
このような構成によれば、重錘部材の重心が中空部の見込み中心よりもガラスパネル側に寄って位置している場合と比べ、火災時に、重錘部材の重みによってパネル受け部を框本体部側から早期に分断して中空部をなくすことができ、ガラスパネルの中央部と下縁部との温度差を早期に小さくできる。
【００１２】
本発明の樹脂製防火建具では、前記重錘部材の重心は、前記中空部の上下方向における見付け中心よりも上側に位置していることが好ましい。
このような構成によれば、中空部において重錘部材の重心が高い位置に配置されるので、火災時にパネル受け部が軟化して分断された場合に、分断部分および重錘部材をガラスパネルから離れる方向に転ばせやすい状態にできる。
【００１３】
本発明の樹脂製防火建具では、前記パネル受け部は、前記框本体部に連続しているパネル受け片部と、前記パネル受け片部に連続している上見込み片部および下見込み片部と、前記上見込み片部および前記下見込み片部に連続している見付け片部とを有し、前記パネル受け片部、前記上見込み片部、前記下見込み片部および前記見付け片部によって前記中空部が形成され、前記重錘部材は、金属製であり、前記パネル受け片部よりもガラスパネルから離れて位置している前記見付け片部に沿って配置された縦片部と、前記下見込み片部に沿って配置された下片部とを有していることが好ましい。
このような構成によれば、火災時に火炎に晒されて高温となりやすい見付け片部に沿って縦片部が配置されるので、見付け片部の熱を重錘部材を介してパネル受け部の見付け片部以外の部分へ熱を伝えることができる。
【００１４】
本発明の樹脂製防火建具では、前記重錘部材の重心は、当該重錘部材の見込み中心よりも前記縦片部側に位置していることが好ましい。
このような構成によれば、縦片部を見付け片部に沿って配置し、かつ下片部を下見込み片部に沿って配置するだけで、重錘部材の重心をパネル受け部に形成された中空部の見込み中心よりも見付け片部側に簡単に位置合わせすることができる。
【００１５】
本発明の樹脂製防火建具では、前記パネル受け片部のうち前記框本体部と連続する部分よりも上側部分には、前記ガラスパネル側に連通する連通孔が形成されていることが好ましい。
このような構成によれば、例えば火災時にパネル受け部の分断部分および重錘部材が落ちた状態でパネル受け片部が残存しても、熱風を連通孔を通じてガラスパネル側の空間に導入でき、この熱風によってガラスパネルの下縁部の温度を上昇させてガラスパネルの中央部と下縁部との温度差を速やかに小さくできる。
【００１６】
本発明の樹脂製防火建具では、前記下見込み片部および前記上見込み片部のうち少なくとも一方には、分断用切欠部が形成されていることが好ましい。
このような構成によれば、火災時にパネル受け部が分断される分断位置を分断用切欠部が形成された部分に設定できる。
【発明の効果】
【００１７】
本発明によれば、ガラスパネルの中央部と下縁部との温度差を小さくしてガラスパネルの熱割れを抑制できる樹脂製防火建具を提供できる。
【図面の簡単な説明】
【００１８】
【図１】本発明の実施形態に係る開き窓の示す内観姿図。
【図２】前記実施形態に係る開き窓を示す縦断面図。
【図３】前記実施形態に係る開き窓を示す横断面図。
【図４】前記実施形態に係る開き窓の火災時における変化状態を示す説明図。
【図５】本発明の変形例に係る開き窓の要部を示す縦断面図。
【発明を実施するための形態】
【００１９】
［本実施形態の構成］
以下、本発明の実施形態を図面に基づいて説明する。
図１〜３において、本実施形態に係る樹脂製防火建具である開き窓１は、建物躯体の開口部に設置される内開き窓であり、開口部にネジ止めされる樹脂製の窓枠２（枠体）と、窓枠２内に配置された開閉可能な障子３とを備えている。
【００２０】
窓枠２は、上枠２１、下枠２２および左右の縦枠２３を枠組みして構成されている。上枠２１、下枠２２および左右の縦枠２３は、樹脂製の押出形材によって同一断面形状に形成されており、内部に枠ホロー２５が複数形成されている。窓枠２は、樹脂製で形成され、かつ枠ホロー２５を形成することで、室内外間の断熱性を向上している。
【００２１】
後述する上框３１のパネル受け部６０に対して当該上框３１の見付け方向外側（上側）に位置する枠ホロー２５Ａと、後述する下框３２のパネル受け部６０に対して当該下框３２の見付け方向外側（下側）に位置する枠ホロー２５Ｂと、後述する右側の縦框３３のパネル受け部６０に対して当該縦框３３の見付け方向外側（右側）に位置する枠ホロー２５Ｃと、後述する左側の縦框３３のパネル受け部６０に対して当該縦框３３の見付け方向外側（左側）に位置する枠ホロー２５Ｄとには、難燃性（または不燃性）を有するＭＤＦ（中密度繊維板、ｍｅｄｉｕｍ  ｄｅｎｓｉｔｙ  ｆｉｂｅｒｂｏａｒｄ）などからなる耐火体２６と、膨張黒鉛シートによって構成される熱膨張耐火材２７がそれぞれ配置されている。
【００２２】
耐火体２６は、断面矩形状であり、各枠ホロー２５Ａ〜２５Ｄの長手方向に沿って配置されている。熱膨張耐火材２７は、障子３側に向かって熱膨張可能に耐火体２６の障子３側の見込み面に沿って貼り付けられている。前述した耐火体２６および熱膨張耐火材２７によって窓枠２における耐火ラインが形成されている。
下枠２２のうち耐火ラインよりも室外側に位置する室外側部分は、下枠２２の見付け方向内側に延出しており、開き窓１の閉鎖状態では、下框３２のパネル受け部６０の後述する下見込み片部６３を含む見付け方向外側部分（下側部分）を室外側から覆って配置される。また、上枠２１および左右の縦枠２３も同様に、開き窓１の閉鎖状態では、上框３１および左右の縦框３３のパネル受け部６０の見付け方向外側部分を室外側から覆って配置される。
【００２３】
障子３は、上框３１、下框３２、左右の縦框３３およびガラスパネル３４を框組みして構成されている。上框３１、下框３２および左右の縦框３３は、樹脂製の押出形材によって同一断面形状に形成されている。ガラスパネル３４は、網入りガラス３４Ａと、網入りガラス３４Ａよりも室内側に配置されたフロートガラス３４Ｂとを備える複層ガラスによって構成されている。網入りガラス３４Ａおよびフロートガラス３４Ｂ間に形成された空間によって室内外間の断熱性を向上している。
【００２４】
上框３１および左右の縦框３３は、図２，３に示すように、下框３２と同様に形成されているのでこれらの説明を省略する。なお、本実施形態では、上框３１および左右の縦框３３の框ホロー６５（中空部）には、後述する重錘部材７０は配置されていない。
また、図３において左側の縦框３３は、左側の縦枠２３の室内側見付け片部にヒンジ５を介して回動可能に連結されている。図３において右側の縦框３３には、開閉操作用のハンドル６が取り付けられている。
【００２５】
下框３２は、図２に示すように、框本体部４０と、框本体部４０の室内側部分に形成された押縁係合部５０と、框本体部４０の室外側部分に形成されたパネル受け部６０とを有している。
【００２６】
框本体部４０は、その内部に仕切り片部によって仕切られた複数の框ホロー４１が形成されている。框本体部４０の見込み方向に沿ったパネル対向片部４２は、ガラスパネル３４の下端面に対向している。パネル対向片部４２によって仕切られた框ホロー４１Ａにはパネル対向片部４２を補強する金属製の補強材４３が配置されている。また、ガラスパネル３４の周縁部を保持する断面コ字形状の保持金具４４は、パネル対向片部４２を介して補強材４３にネジ止めされている。
【００２７】
押縁係合部５０は、框本体部４０の上側であって室内側部分に形成された係合溝形成部によって構成されている。押縁係合部５０によって形成された係合溝５１には、押縁７が係合されており、この押縁７によってガラスパネル３４の室内面を受けている。
【００２８】
パネル受け部６０は、框本体部４０の室外側部分にある二つの接続片部４５に連続しているパネル受け片部６１と、パネル受け片部６１に連続している上見込み片部６２および下見込み片部６３と、上見込み片部６２および下見込み片部６３に連続している見付け片部６４とを有している。パネル受け片部６１は、ガラスパネル３４の室外面を受けている。
【００２９】
パネル受け片部６１、上見込み片部６２、下見込み片部６３および見付け片部６４によって框ホロー６５が形成されている。
パネル受け片部６１のうち接続片部４５よりも上側部分には、ガラスパネル３４側に連通する連通孔６６が形成されている。
框ホロー６５には、鉄、スチール等の金属製の重錘部材７０が配置されている。この重錘部材７０は他の補強材などとは連結されずに框ホロー６５に配置されている。
【００３０】
重錘部材７０は、図２に示すように、下片部７１と、下片部７１の室外端部に下端が連続している縦片部７２と、縦片部７２の上端に室外端部が連続している上片部７３とを有しており、上片部７３はその室内側部分が折り返されて二重に構成されている。この重錘部材７０は、断面略矩形状に形成されており、パネル受け部６０の長手方向に沿って配置されている。
【００３１】
下片部７１は、下見込み片部６３に沿って配置されている。縦片部７２は、パネル受け片部６１よりもガラスパネル３４から離れて位置している見付け片部６４に沿って配置されている。上片部７３は、上見込み片部６２に沿って配置されている。図２では、縦片部７２および上片部７３は見付け片部６４および上見込み片部６２との間に隙間を隔てて配置されており、下片部７１は下見込み片部６３に当接している。縦片部７２は、前述したように見付け片部６４との間に隙間を隔てているが、見付け片部６４に当接して配置されてもよい。
【００３２】
図４（Ａ）に示すように、重錘部材７０の重心Ｇは、パネル受け部６０が形成された框本体部４０の室外側部分よりも室外側に離れて位置している。重錘部材７０の重心Ｇは、下框３２の見込み方向において框ホロー６５の見込み中心Ｏ１よりもガラスパネル３４側から離れて位置し、かつ、框ホロー６５の上下方向における見付け中心Ｏ２よりも上側に位置している。また、重錘部材７０の重心Ｇは、当該重錘部材７０の見込み中心（本実施形態では前述した見込み中心Ｏ１と同位置）よりも縦片部７２側に位置している。
このように重錘部材７０が框ホロー６５に配置されたパネル受け部６０の重心は、框本体部４０の室外側部分よりも室外側に離れて位置している。
【００３３】
［本実施形態の作用］
以下、本実施形態に係る開き窓１の火災時における作用について説明する。
室外側における火災時、開き窓１の室外部分は火炎に晒され、網入りガラス３４Ａの中央部の温度は上昇し、当該網入りガラス３４Ａからの輻射でフロートガラス３４Ｂの中央部の温度も上昇する。
上枠２１、下枠２２および左右の縦枠２３の耐火体２６よりも室外側部分は、火炎に晒されて図４（Ｂ）に示すように軟化、焼失する。また上框３１、下框３２および左右の縦框３３のパネル受け部６０も軟化する。このとき、下框３２のパネル受け部６０は、火炎に晒される見付け片部６４および上見込み片部６２の温度が上昇し、上片部７３、縦片部７２および下片部７１を通じて熱が下見込み片部６３に伝わる。下見込み片部６３は、下枠２２の耐火体２６よりも室外側部分に室外側から覆われており、火炎に直接に晒されることがないので、上見込み片部６２と比べて温度が上昇しにくいところ、前述したように熱が下見込み片部６３に伝わることで、当該下見込み片部６３の温度を上昇できる。
【００３４】
重錘部材７０の重心Ｇは、前述したように框ホロー６５の見込み中心Ｏ１よりも室外側であって見付け中心Ｏ２よりも上側に位置しているので、上見込み片部６２には重錘部材７０の重みに基づいて室外側への引張力が加わり、軟化した際に図４（Ｂ）に示すように分断される。上見込み片部６２が分断されると、前述したように温度が上昇して軟化した下見込み片部６３は折れながら分断され、パネル受け部６０は、パネル受け片部６１を框本体部４０側に残しつつ、重錘部材７０とともに転び方向Ａに転び、図４（Ｃ）に示すように室外側であって下方に落ちる。
【００３５】
図４（Ｃ）に示す状態では、框ホロー６５がなくなって連通孔６６が室外側に露出するので、室外側からの熱風が連通孔６６を通じてガラスパネル３４の下縁部側に導入され、ガラスパネル３４の下縁部の温度を上昇させる。このようにして、ガラスパネル３４の中央部と比べて温度が上昇しにくいガラスパネル３４の下縁部の温度を上昇させ、ガラスパネル３４の中央部と下縁部との温度差を小さくして熱割れ、特にフロートガラス３４Ｂの熱割れを抑制する。
なお、ガラスパネル３４の左右の縦縁部や上縁部では、火炎が上方に広がっていくので、ガラスパネル３４の中央部との温度差が大きくなりにくいので、熱割れする可能性は低い。
【００３６】
なお、上框３１、下框３２および左右の縦框３３が焼失しても、補強材４３および保持金具４４などの金属部品が残存してガラスパネル３４を保持する。また、熱膨張耐火材２７は、温度上昇によって窓枠２の見付け方向内側に向かって熱膨張し、窓枠２と障子３との間を塞ぐ。
【００３７】
［本実施形態の効果］
（１）本実施形態では、開き窓１は、樹脂製の窓枠２と、窓枠２に配置された障子３とを備え、障子３は、樹脂製の上框３１、下框３２および左右の縦框３３とガラスパネル３４とを框組みして構成され、下框３２は、框本体部４０と、框本体部４０の室外側部分に形成されたパネル受け部６０と、框本体部４０の室内側部分に形成された押縁係合部５０とを有し、パネル受け部６０には、框ホロー６５が形成され、框ホロー６５には、パネル受け部６０の重心を框本体部４０の室外側部分よりも室外側に離間させる重錘部材７０が配置されていることを特徴とする。
上記構成を有するため、パネル受け部６０は、室外側における火災時に火炎に晒されて軟化し、重錘部材７０の重みを受けつつ框本体部４０側から分断され、分断部分および重錘部材７０が室外側に落ちることとなる。これにより、下框３２のパネル受け部６０に形成された框ホロー６５がなくなるので、ガラスパネル３４の下縁部の温度を上昇でき、ガラスパネル３４の中央部と下縁部との温度差を小さくしてガラスパネル３４の熱割れを抑制できる。
さらに、本実施形態では、以下の各効果を発揮できる。
（２）重錘部材７０の重心Ｇは、下框３２の見込み方向において框ホロー６５の見込み中心Ｏ１よりもガラスパネル３４側から離れて位置している。
このため、重錘部材７０の重心Ｇが框ホロー６５の見込み中心Ｏ１よりもガラスパネル３４側に寄って位置している場合と比べ、火災時に、重錘部材７０の重みによってパネル受け部６０を框本体部４０側から早期に分断して框ホロー６５をなくすことができ、ガラスパネル３４の中央部と下縁部との温度差を早期に小さくできる。
（３）重錘部材７０の重心Ｇは、框ホロー６５の上下方向における見付け中心Ｏ２よりも上側に位置している。
このため、框ホロー６５において重錘部材７０の重心Ｇが高い位置に配置されるので、火災時にパネル受け部６０が軟化して分断された場合に、分断部分および重錘部材７０をガラスパネル３４から離れる方向に転ばせやすい状態にできる。
（４）下框３２のパネル受け部６０は、框本体部４０に連続しているパネル受け片部６１と、パネル受け片部６１に連続している上見込み片部６２および下見込み片部６３と、上見込み片部６２および下見込み片部６３に連続している見付け片部６４とを有し、パネル受け片部６１、上見込み片部６２、下見込み片部６３および見付け片部６４によって框ホロー６５が形成され、重錘部材７０は、金属製であり、パネル受け片部６１よりもガラスパネル３４から離れて位置している見付け片部６４に沿って配置された縦片部７２と、下見込み片部６３に沿って配置された下片部７１とを有している。
このため、火災時に火炎に晒されて高温となりやすい見付け片部６４に沿って縦片部７２が配置されるので、見付け片部６４の熱を重錘部材７０を介してパネル受け部６０の見付け片部６４以外の部分へ熱を伝えることができる。
（５）重錘部材７０の重心Ｇは、当該重錘部材７０自体の見込み中心よりも縦片部７２側に位置している。
このため、縦片部７２を見付け片部６４に沿って配置し、かつ下片部７１を下見込み片部６３に沿って配置するだけで、重錘部材７０の重心Ｇをパネル受け部６０に形成された框ホロー６５の見込み中心Ｏ１よりも見付け片部６４側に簡単に位置合わせすることができる。
（６）下框３２のパネル受け片部６１のうち框本体部４０と連続する部分よりも上側部分には、ガラスパネル３４側に連通する連通孔６６が形成されている。
このため、例えば火災時にパネル受け部６０の分断部分および重錘部材７０が落ちた状態でパネル受け片部６１が残存しても、熱風を連通孔６６を通じてガラスパネル３４側の空間に導入でき、この熱風によってガラスパネル３４の下縁部の温度を上昇させてガラスパネル３４の中央部と下縁部との温度差を速やかに小さくできる。
【００３８】
［変形例］
本発明は、以上の実施形態で説明した構成のものに限定されず、本発明の目的を達成できる範囲での変形例は、本発明に含まれる。
例えば、前記実施形態では、重錘部材７０の縦片部７２は上下方向に沿って形成されているが、これに限定されず、例えば図５（Ａ）に示すように、縦片部７２の下側部分を上下方向に対して傾斜させて形成してもよい。また、重錘部材７０の上片部７３は折り返されて二重とされているが、図５（Ａ）に示すように折り返されていなくてもよい。
また、例えば図５（Ｂ）に示すように、重錘部材７０の上片部７３の構成を省略し、縦片部７２の上側部分を折り返して二重に構成してもよい。
さらに、重錘部材７０は、下片部７１、縦片部７２および上片部７３を有しているが、これに限られず、例えばブロック状に形成されていてもよい。
【００３９】
前記実施形態では、重錘部材７０の重心Ｇは、框ホロー６５の見込み中心Ｏ１よりも室外側であって框ホロー６５の見付け中心Ｏ２よりも上側に位置しているが、これに限定されない。重錘部材７０の重心Ｇは、框ホロー６５の見込み中心Ｏ１よりも室内側に位置し、框ホロー６５の見付け中心Ｏ２よりも下側に位置していても、重錘部材７０が框ホロー６５に配置された状態のパネル受け部６０の重心が、框本体部４０の室外側部分よりも室外側に離れて位置していればよい。
また、重錘部材７０の重心Ｇは、当該重錘部材７０自体の見込み中心よりも縦片部７２側に位置しているが、これに限られず、前記見込み中心よりも縦片部７２から離れて位置していてもよい。
【００４０】
前記実施形態では、下框３２のパネル受け片部６１に連通孔６６が形成されているが、この連通孔６６の構成を省略してもよい。
【００４１】
前記実施形態では、下框３２の上見込み片部６２および下見込み片部６３には、下框３２の長手方向に沿った孔や溝などは形成されていないが、例えば、下框３２の上見込み片部６２および下見込み片部６３のうちの少なくとも一方には、孔、溝等からなる分断用切欠部が形成されていてもよい。また、上記部分のほか、接続片部４５に分断用切欠部が形成されていてもよい。この場合には、火災時に下框３２のパネル受け部６０が分断される分断位置を分断用切欠部が形成された部分に設定できる。
【００４２】
前記実施形態では、上框３１および左右の縦框３３のパネル受け部６０の框ホロー６５には、重錘部材７０が配置されていないが、これに限られず、各パネル受け部６０が框本体部４０に連続する部分に対して重心がガラスパネル３４から離れて位置する重錘部材を各框ホロー６５に配置してもよい。
【００４３】
前記実施形態では、パネル受け部６０が框本体部４０の室外側部分に形成され、かつ押縁係合部５０が框本体部４０の室内側部分に形成されているが、これに限られず、パネル受け部６０が框本体部４０の室内側部分に形成され、かつ押縁係合部５０が框本体部４０の室外側部分に形成されていてもよい。この場合には、框ホロー６５に重錘部材７０が配置されることによって、パネル受け部６０の重心は、框本体部４０の室内側部分よりも室内側に離間されることとなる。このため、室内側における火災時に、下框３２のパネル受け部６０は、火炎に晒されて軟化し、重錘部材７０の重みを受けつつ框本体部４０側から分断され、分断部分および重錘部材７０が室内側に落ちることとなる。これにより、下框３２のパネル受け部６０に形成された框ホロー６５がなくなるので、ガラスパネル３４の下縁部の温度を上昇でき、ガラスパネル３４の中央部と下縁部との温度差を小さくしてガラスパネル３４の熱割れを抑制できる。
【００４４】
前記実施形態では、開き窓１を樹脂製防火建具として説明したが、このほか、引き違い窓、ドアなどであってもよい。
【符号の説明】
【００４５】
１…開き窓（樹脂製防火建具）、２…窓枠（枠体）、３…障子、５…ヒンジ、６…ハンドル、７…押縁、２１…上枠、２２…下枠、２３…縦枠、２５（２５Ａ〜２５Ｄ）…枠ホロー、２６…耐火体、２７…熱膨張耐火材、３１…上框、３２…下框、３３…縦框、３４…ガラスパネル、３４Ａ…網入りガラス、３４Ｂ…フロートガラス、４０…框本体部、４１，４１Ａ，６５…框ホロー、４２…パネル対向片部、４３…補強材、４４…保持金具、４５…接続片部、５０…押縁係合部、５１…係合溝、６０…パネル受け部、６１…パネル受け片部、６２…上見込み片部、６３…下見込み片部、６４…見付け片部、６６…連通孔、７０…重錘部材、７１…下片部、７２…縦片部、７３…上片部、Ａ…転び方向、Ｇ…重心、Ｏ１…見込み中心、Ｏ２…見付け中心。
【図１】
2018087457.tif 000003
【図２】
2018087457.tif 000004
【図３】
2018087457.tif 000005
【図４】
2018087457.tif 000006
【図５】
2018087457.tif 000007